(57)【要約】【課題】容器体Ａの口部２にスパウトＢを設け、収納物の殺菌処理等を円滑に行えるとともに、製造工程の簡略化が図れ、キャップB3を螺脱することにより筒口７を開封することができる容器であって、キャップの螺着が容易で螺脱による開封も確実に行える容器を提案する。【解決手段】スパウトＢを構成する筒状の本体部B1の上端の筒口を、周縁部を薄肉破断部８を介して連結した閉塞板９により閉塞し、また、閉塞板とキャップとの間にキャップの螺脱方向の回動を防止するラチェット機構を設け、このラチェット機構を構成する第２歯群ｂを別部材で構成して、キャップの螺着後に加熱処理による結晶化により第２歯群が硬化する如く構成した。【選択図】図１
2006143308.tif 000002
【特許請求の範囲】
【請求項１】
容器体Ａと、該容器体の口部２に筒状の本体部B1にキャップB3を螺着したスパウトＢとを設け、前記スパウトは、周縁部を薄肉破断部８を介して連結した閉塞板９により前記本体部の筒口７を閉塞するとともに、前記閉塞板と前記キャップとの間にラチェット機構を設け、該ラチェット機構は、前記閉塞板上の第１歯群ａと、前記キャップ内に嵌着固定するとともに、前記キャップの螺着時に前記第１歯群ａと非係合で螺脱時に係合する第２歯群ｂとから構成し、前記キャップ螺着後の加熱処理により前記第１歯群ａ，第２歯群ｂのうち、少なくと一方の歯群が加熱による結晶化によって硬化する如く構成したことを特徴とする容器。
【請求項２】
前記第２歯群ｂを構成する歯部材B4を結晶性樹脂により形成し、該結晶性樹脂の結晶化開始温度以上の温度で前記加熱処理を行うことにより前記第２歯群ｂが硬化する如く構成してなる請求項１記載の容器。
【請求項３】
前記結晶性樹脂としてポリエチレンテレフタレートを採用してなる請求項２記載の容器。
【請求項４】
前記加熱処理として加熱殺菌処理を採用してなる請求項１乃至請求項３のいずれかに記載の容器。
【発明の詳細な説明】
【技術分野】
【０００１】
本発明は容器に関する。
【背景技術】
【０００２】
容器に高密閉性を付与するために口部開口を閉塞する為にアルミシール等のシール材を貼着することが行われているが、これらはその為の設備を必要とし、また、余分な貼着工程を必要とするため改善が望まれている。これに伴って、シール材の貼着を必要とせずに高密閉性を現出する容器蓋が提案されている（例えば、特許文献１参照）。
【０００３】
上記容器蓋は、蓋体本体と該本体へ被蓋する外蓋とからなり、蓋体本体は平板状の天板部と、蓋体本体を容器口部へ強固に嵌合固定する円筒状の側壁部とを有し、蓋体本体の天板部には内部に空隙を有する筒状体を形成し、該筒状体の胴部に薄肉部を設けて該筒状体を中間位置にて折損することにより筒状体上方部分を折損除去可能とし、又、外蓋の天板部裏面には係止突起を設け、以て折損除去した筒状体上方部分を係止突起により筒状体上蓋を下方とする様に外蓋天板部裏面に取り付け得る構造としている。
【特許文献１】実公平０３−０５００３９号公報
【発明の開示】
【発明が解決しようとする課題】
【０００４】
上記容器蓋を用いた容器では、開封に当たり筒状体を手等で折損した後逆さまにして外蓋天板部裏面に取り付けるという操作上の面倒があり、その際収納物が飛散する等の虞れもある。本発明はスパウトの筒口を閉塞する閉塞板を一体に形成し、特殊構成のラチェット機構を採用してキャップの螺脱の際に閉塞板を切り放して開口することができ、しかもキャップの螺着時にはラチェットの各歯が容易に乗り越えることができるとともに、キャップ螺脱時には少なくともラチェットの一方の歯群が硬化して各歯の歯合を外れ難いものとしてより確実な開封を行える容器を提案する。
【課題を解決するための手段】
【０００５】
第１の手段として、容器体Ａと、該容器体の口部２に筒状の本体部B1にキャップB3を螺着したスパウトＢとを設け、前記スパウトは、周縁部を薄肉破断部８を介して連結した閉塞板９により前記本体部の筒口７を閉塞するとともに、前記閉塞板と前記キャップとの間にラチェット機構を設け、該ラチェット機構は、前記閉塞板上の第１歯群ａと、前記キャップ内に嵌着固定するとともに、前記キャップの螺着時に前記第１歯群ａと非係合で螺脱時に係合する第２歯群ｂとから構成し、前記キャップ螺着後の加熱処理により前記第１歯群ａ，前記第２歯群ｂのうち、少なくとも一方の歯群が加熱による結晶化によって硬化する如く構成した。
【０００６】
第２の手段として、前記第１の手段に於いて、前記第２歯群ｂを構成する歯部材B4を結晶性樹脂により形成し、該結晶性樹脂の結晶化開始温度以上の温度で前記加熱処理を行うことにより前記第２歯群ｂが硬化する如く構成した。
【０００７】
第３の手段として、前記第２の手段に於いて、前記結晶性樹脂としてポリエチレンテレフタレートを採用する。
【０００８】
第４の手段として、前記第１の手段又は第２の手段又は第３の手段に於いて、前記加熱処理として加熱殺菌処理を採用する。
【発明の効果】
【０００９】
本発明の容器は、螺着後の加熱処理によりラチェット機構を構成する第１歯群ａ，第２歯群ｂのうち、少なくとも一方が加熱による結晶化によって硬化する如く構成したので、第２歯群ｂを硬化する如く構成した場合、キャップB3の螺着時には硬化前の柔らかい状態の第２歯群ｂがもともと螺着時非係合形態の第１歯群ａを容易に乗り越えてキャップB3を装着することができ、また、螺脱に際しては第２歯群ｂが硬化しているため第２歯群ｂが第１歯群ａを乗り越えて空回りする等の不都合を生じる虞れを確実に防止し、その結果、薄肉破断部８の破断を確実に行える。また、従前通り収納物の殺菌処理等を筒口からの収納物の漏れ等を心配することなく円滑に行えるものであり、キャップB3を螺脱するという操作のなかで閉塞板９を破断して筒口７を開口するという開封を行えるものであり、取り扱い操作が極めて便利となる。
【００１０】
第２歯群ｂを構成する部材を結晶性樹脂により形成し、該結晶性樹脂の結晶化開始温度以上の温度で前記加熱処理を行うことにより前記第２歯群ｂが硬化する如く構成した場合には、樹脂の弾力性により螺着時の第１，第２の各歯群の相互乗り越えが極めて容易であり、しかも、螺着後の加熱処理により第２歯群が硬化されるので各第１，第２歯群のより確実な歯合を得られる。第２歯群の硬化は、螺着後の加熱処理により樹脂の結晶化度が上昇することにより硬化される。結晶性樹脂のうちでもポリエチレンテレフタレートが上記要求を充分満足できるため好ましく使用される。
【００１１】
また、加熱処理として加熱殺菌処理を採用することにより加熱殺菌と第２歯群ｂの硬化とを同時に行えて作業効率を向上できる。
【発明を実施するための最良の形態】
【００１２】
以下、本発明の実施例の形態を図面を参照して説明する。
【００１３】
図１から図５は本発明容器の一例を示し、該容器１は、容器体Ａと、スパウトＢとを備えている。
【００１４】
スパウトＢは、本体部B1と、パイプB2と、キャップB3と、ラチェット形成用の歯部材B4とを備えている。本体部B1は前記容器体Ａの口部２に外周を溶着固定する筒状をなし、合成樹脂等によりパイプB2と一体に形成される。また、本体部B1の外周下部には口部２の密な溶着を可能ならしめるために、凹凸面とした帯状の融着外面ｆを設けており、融着外面ｆ上方には一対のフランジ３，４を突設し、その更に上方外周に突条５及び螺条６を順次周設している。尚、上記融着外面ｆはこの形状に限定されず、例えば、平面視紡錘形状をなす帯状融着面であっても、平面視楕円状をなす帯状融着面であっても、左右一対の板状突起の両側面であっても良い。また、本体部B1の上端の筒口７を、周縁部を薄肉破断部８を介して連結した閉塞板９により閉塞している。この閉塞板９は中央部を隆起した形態をなし、本体部B1内の筒口７の上端から一定距離離れた下方位置に薄肉破断部８を介して周縁部を連結している。
【００１５】
パイプB2は、前記本体部B1と内部を連通して容器体Ａ内に垂設したもので、容器体Ａ内の収納物を円滑に且つ効率良く吸引するために作用し、また、可撓性を備えた容器体Ａの保形にも寄与する。図示例では、本体部B1の下端開口と連通して上端を一体に連結し、容器体Ａ内下部に下端を垂下させた管状をなしている。また、パイプB2には窓孔10を穿設している。この窓孔10の数，位置，大きさ等は適宜選択できる。
【００１６】
キャップB3も合成樹脂により形成され、本体部B1外周に螺着している。図示例では、周壁20上端縁より頂壁21を延設した下端開口の有頂筒状をなし、周壁20内周に周設した螺条22を前記本体部B1の螺条６に螺合する如く構成している。また、本体部B1とキャップ周壁20との間に、キャップの螺着時に密接するシール機能を付与している。このシール機能は密接した部分の上下を気密，液密に区画する。具体的には本体部B1の外周上端部に対応するキャップ周壁20内周面を密に嵌合させている。
【００１７】
本発明では、閉塞板９とキャップB3内との間に、キャップB3の螺脱方向の回動を防止するラチェット機構を設けている。従って、キャップB3を螺着する際は容易にその操作を行えるのに対し、螺脱時には閉塞板９がキャップB3と一体に螺脱方向に回動しようとし、その結果、薄肉破断部８が破断して前記筒口７が開口する如く構成している。
【００１８】
ラチェット機構は、上記閉塞板９上の第１歯群ａと、前記キャップB3内に嵌着固定するとともに、前記キャップの螺着時に前記第１歯群ａと非係合で螺脱時に係合する第２歯群ｂとから構成している。図示例では、上記閉塞板９上に突設した円柱状凸部11の外周に周設した第１歯群ａと、キャップB3の周壁20上部内周に嵌着固定した固定筒30内面より内方へ突設した第２歯群ｂとで構成しており、従って、第１歯群ａは本体部B1と一体に形成され、第２歯群ｂは固定筒30と一体のラチェット形成用の歯部材B4として本体部B1及びキャップB3とは別体に形成されている。また、第１歯群ａは所定方向に傾いた三角板状の単位歯12を所定数前記円柱状凸部11外周に連設して構成しており、第２歯群ｂは、所定方向に傾いた突片状の単位歯31を周方向所定間隔をあけて所定数突設して構成している。
【００１９】
固定筒30のキャップB3への嵌着固定は種々の形態を採用できるが、本例では、キャップ周壁20の内周上端部に周方向多数突設した縦突条23間に固定筒30の外周に周方向複数縦設した縦突条32を嵌着することにより充分な係合強度を得られる。キャップ側の縦突条23は所定間隔をあけて多数縦設しているのに対し、固定筒30側の縦突条32の数は少なく形成されており、また、両縦突条はそれぞれ等間隔に形成されている。
【００２０】
本発明ではキャップ螺着後の加熱処理により前記第２歯群ｂが硬化する如く構成している。この様な構成により、キャップ螺着時には第２歯群ｂが柔らかい状態であるため第１歯群ａを容易に乗り越えてキャップB3を螺着することができる。一方、螺脱する際には第２歯群ｂは硬化しているため、第１歯群ａとしっかり歯合し、確実に薄肉破断部８を切断して開封することができる如く構成している。
【００２１】
この様に構成するためには、例えば第２歯群ｂを構成する部材であるラチェット形成用の歯部材B4を結晶性樹脂により形成し、該結晶性樹脂の結晶化開始温度以上の温度で前記加熱処理を行う。この場合加熱処理温度は融点未満の範囲で行う。結晶化開始温度は成形時の樹脂が固化する環境例えば冷却速度によって変化するが示差操作式熱量計による熱量分析等を行うことにより知ることができる。結晶性樹脂として、種々の熱可塑性樹脂が採用できるが、ポリエチレンテレフタレートが螺着時には適度の柔軟性を現出し、加熱処理後に確実な歯合を発揮する硬度を現出することができるため特に好ましい。加熱処理は公知の種々の形態を採用できるが、通常の加熱殺菌処理形態を採用することにより、加熱殺菌処理と第２歯群ｂの硬化とを同時に行えるため好ましく、１００〜１５０℃の範囲で行うことが好ましい。一例として、ポリエチレンテレフタレートを使用し、レトルト条件（１２０℃，３０分間）で加熱殺菌を行うことにより、加熱殺菌処理と第２歯群ｂの硬化を同時に行うことができる。
【００２２】
尚、本発明に於いて第２歯群ｂを構成する部材であるラチェット形成用の歯部材B4以外のスパウトＢを構成する部材、即ち、本体部B1、キャップB3は結晶性樹脂で形成しても、非晶性樹脂で形成しても良い。図示例では、本体部B1及びキャップB3ともにポリプロピレンを採用している。この他高密度ポリエチレン等も好ましく使用できる。
【００２３】
また、キャップ周壁20の内面所定位置に突周設したシール突条24を、キャップB3を螺着させた際に本体部B1の外周上端部に圧接させてシール機能を付与している。従ってこの場合には、その部分に於いてシール突条24の突出幅だけ両者に隙間が存在する。尚、シール機能を付与する具体的構成としてはこれに限られず、キャップB3内周面と本体部B1外周面とを面接触させて圧接しても良いが、後述する拡開手段を設ける場合には上記隙間がある方が拡開手段がより機能し易い。
【００２４】
前記したシール機能をより向上させるための拡開手段を設けている。拡開手段は本体部B1上に設けた第１摺動面s1にキャップB3に設けた第２摺動面s2を摺動させて本体部B1の上端部を外方へ拡げ、それによりシール部分の圧接力をより大きなものとしてその機能をより向上させる。上記第１摺動面s1及び第２摺動面s2の具体的形態は、上記機能を発揮できれば種々の形態を採用でき、図示例では、第１摺動面s1として本体部B1上端面を内方へ下るテーパ状に形成した形態を採用し、また、第２摺動面s2として固定筒30下面を内方へ下るテーパ状に形成した形態を採用している。また、各摺動面は傾斜角度が略同一の角度を採用すると良い。また、テーパ状をなす各摺動面の傾斜角度としては上記目的を達成することができる範囲で適宜選択すれば良い。尚、拡開手段の他の例として、例えば、第１摺動面s1として本体部B1上端面を縦断面が上方へ突出する半円状に形成した形態を採用し、また、第２摺動面s2として固定筒下面を内方へ下るテーパ状に形成した形態を採用しても良い。
【００２５】
また、本発明では、キャップB3の螺脱に際して、破断分離した閉塞板９をキャップB3内に係止する係止手段を設けても良い。この係止手段の一例として、前記円柱状凸部11の中央部に凹設した係合孔14内に、キャップB3より垂設した係合突部25を抜け出しを防止して係合させている。更にいえば、係合孔14の内周面に係止突条15を突周設し、キャップB3の頂壁21裏面より垂設した筒状の係合突部25外周に係合突条26を突周設して、前記係止突条15に乗り越え係合させる如く構成している。
【００２６】
本発明では、キャップB3の螺脱に際して破断するバージンシール機能を設けても良い。該機能の一例として、キャップB3の周壁20の下面に易切断性の連結部27を介して環状の切取帯28を一体に形成し、この切取帯28を本体部B1外周に抜け出しを防止して係合させている。更に、詳しくは、切取帯28内面に突設した係合突条29を、本体部B1外周の前記突条５の下面に乗り越え係合させて未使用を表現できる如く構成している。
【００２７】
上記の如く構成した容器１は、例えば、本体部B1にキャップB3を螺着したスパウトを固着した容器体Ａに収納物を充填し、密封した後、公知方法により加熱殺菌処理を行い容器全体を加熱し、その際、第２歯群ｂを硬化させる。容器１を使用する際には、例えば、図５(a) の状態から本体部B1を持ってキャップB3を螺脱すると、易切断性の連結部27が切断されて切取帯28が下方に落下して開封を一目で認識でき、また、同時にラチェット機構が作動し、つまり、第１歯群ａと第２歯群ｂとが歯合して円柱状凸部11が螺脱回動方向へ強制的に回転力を受けるため、薄肉破断部８に剪断力が作用して破断し、筒口７が開口する。この際、切断された閉塞板９はその上面の円柱状凸部11の係合孔14内にキャップB3の係合突部25が係合してキャップB3内上部に固定され、キャップB3の一部として構成される（図５(b) ，(c) ）。次いで開口した筒口７より容器体Ａ内収納物を排出する。
【００２８】
容器体Ａとしては、例えばブロー成形容器，チューブ状容器，或いはガゼットタイプやスタンディングパウチ等の袋状の容器等が採用できる。そして、容器体Ａの口部２に一体成形や融着等の方法により固定させることによりスパウトＢを設ける。容器体Ａの口部２は主として上端部に位置するがこれに限られない。
【００２９】
尚、上記例では第２歯群ｂが加熱による結晶化によって硬化する例について説明したが、本発明では第１歯群ａを加熱による結晶化によって硬化する如く構成しても良く、或いは第１歯群ａ及び第２歯群ｂの両方を加熱による結晶化によって硬化する如く構成しても良い。基本的には第１歯群ａ及び／又は第２歯群ｂを上記特性の樹脂を採用して上記の如く加熱による結晶化を行えばよいが、第１歯群ａをその様に構成する例として、例えば、図１の例に於いて、第２歯群ｂをキャップと一体に形成し、且つ、上記特性の樹脂により固定筒外周に第１歯群を突設した歯部材を、その固定筒を円柱状突部外面に嵌着固定して上記した加熱による結晶化を行えば良く、また、両方をその様に構成する場合には、この様な歯部材と第２歯群ｂの上記歯部材B4とを両方採用して上記した加熱による結晶化を行えば良い。更に、上記各歯部材をインサート成形等の方法でキャップ及び円柱状突部に取り付けることも可能である。
【図面の簡単な説明】
【００３０】
【図１】本発明容器の一部切欠要部正面図である。（実施例１）
【図２】本発明容器のキャップ装着前の要部斜視図である。（実施例１）
【図３】本発明容器のスパウト上部の拡大断面図である。（実施例１）
【図４】本発明容器の要部半断面図である。（実施例１）
【図５】本発明容器の作用を説明する説明図である。（実施例１）
【符号の説明】
【００３１】
２…口部，７…筒口，８…薄肉破断部，９…閉塞板，Ａ…容器体，Ｂ…スパウト，
B1…本体部，B3…キャップ，B4…歯部材，ａ…第１歯群，ｂ…第２歯群
【図１】
2006143308.tif 000003
【図２】
2006143308.tif 000004
【図３】
2006143308.tif 000005
【図４】
2006143308.tif 000006
【図５】
2006143308.tif 000007